(57)【要約】【課題】ディスプレイに放映するための広告物の放映スケジュールの管理の効率化を行うデジタルサイネージ配信システムを得る。【解決手段】運用者が、広告主との契約情報にしたがって、各広告主の放映時間帯をスケジュールに割り当てて、配信サーバ２に登録し、一方、広告主システム７のＷＥＢブラウザ８によって、当該広告主に割り当てられた放映時間帯のみの放映スケジュールを作成してＷＥＢサーバ３に登録すれば、配信サーバ２は、ＷＥＢサーバ３に登録された各広告主の放映スケジュールをマージして、このマージされたスケジュールにより表示装置６に広告物を放映する。【選択図】図１
2015095004.tif 000002
【特許請求の範囲】
【請求項１】
広告主と契約した広告物をスケジュールにしたがって表示装置に放映するデジタルサイネージ配信システムであって、
上記広告主側のＷＥＢブラウザによって、ネットワークを介して、上記広告物のスケジュールを作成できるように構成されたＷＥＢサーバを備えたことを特徴とするデジタルサイネージ配信システム。
【請求項２】
広告主と契約した広告物をスケジュールにしたがって表示装置に放映するデジタルサイネージ配信システムであって、
運用者が上記広告主との契約情報にしたがって広告主ごとに上記広告物を放映するための時間帯を割り当てたスケジュールを登録した配信サーバ、
及び上記広告主側のＷＥＢブラウザによって、ネットワークを介して、当該広告主に割り当てられた時間帯内で上記広告物の放映のスケジュールを作成できるように構成されたＷＥＢサーバを備え、
上記配信サーバは、自身に登録された上記スケジュールに、上記ＷＥＢサーバで上記広告主ごとに作成されたスケジュールをマージして、上記広告物を配信することを特徴とするデジタルサイネージ配信システム。
【請求項３】
上記ＷＥＢサーバは、上記広告主側のＷＥＢブラウザによって、ネットワークを介して、上記表示装置に放映される上記広告物の登録、編集及び削除が行えるように構成されていることを特徴とする請求項１または請求項２記載のデジタルサイネージ配信システム。
【請求項４】
上記ＷＥＢサーバは、上記表示装置に放映された広告物の放映ログを格納し、上記広告主側のＷＥＢブラウザからネットワークを介して閲覧可能にしたことを特徴とする請求項１〜請求項３のいずれか一項記載のデジタルサイネージ配信システム。
【発明の詳細な説明】
【技術分野】
【０００１】
この発明は、街頭や駅、公共施設などに設置された複数のディスプレイに表示する広告物（映像や情報）の管理を効率的に行うデジタルサイネージ配信システムに関するものである。
【背景技術】
【０００２】
従来の街頭や駅、公共施設などに設置された複数のディスプレイに広告物（映像や情報）を表示するデジタルサイネージ配信システムの主な目的としては、広告放映による収益の増加や、施設利用者への案内・お知らせ等を放映することによるサービス向上といったことが上げられる。
デジタルサイネージ配信システムを運用する側は、複数の広告主から依頼された広告物（動画、静止画等）を１つずつ管理し、それぞれの広告毎に放映期間、放映日、放映時間等のスケジュールを決定し、配信・管理を行っている。
【０００３】
特許文献１には、各広告主の広告情報を含む表示データを記憶したデータベースを有する電子看板管理コンピュータが、多数の電子看板装置へスケジュールにしたがって広告情報を表示するとともに、広告依頼主や広告代理店などのクライアント側の通信端末とは、通信ネットワークを介して適宜接続され、通信端末側からのファイル転送による広告情報（広告主が提供するその他の各種コンテンツを含む情報）の登録、及びブラウザを利用してインターネットからの広告情報の登録、編集を可能としているものが記載されている。
【先行技術文献】
【特許文献】
【０００４】
【特許文献１】特開２００２−４０９７４号公報（第４〜６頁、第１図）
【発明の概要】
【発明が解決しようとする課題】
【０００５】
従来のデジタルサイネージ配信システムでは、運用者は広告管理・配信業務を行うにあたり、多大なコストが発生する。また、そのために広告料が高騰し、広告がなかなか集まらないことも懸念されている。
また、広告の差し替え等が発生した場合は、広告主と運用者の連絡が必要となっているため、スムーズに差し替えができないという問題点もあった。
特許文献１のものでは、クライアント側の通信端末から、ブラウザを利用して広告情報の登録、編集を可能にしているものの、放映スケジュールの作成をクライアント側から行えるようにはなっていなかった。
【０００６】
この発明は、上述のような課題を解決するためになされたものであり、ディスプレイに放映するための広告物の放映スケジュールの管理の効率化を行うデジタルサイネージ配信システムを得ることを目的とする。
【課題を解決するための手段】
【０００７】
この発明に係わるデジタルサイネージ配信システムにおいては、広告主と契約した広告物をスケジュールにしたがって表示装置に放映するデジタルサイネージ配信システムであって、広告主側のＷＥＢブラウザによって、ネットワークを介して、広告物のスケジュールを作成できるように構成されたＷＥＢサーバを備えたものである。
【発明の効果】
【０００８】
この発明によれば、広告主と契約した広告物をスケジュールにしたがって表示装置に放映するデジタルサイネージ配信システムであって、広告主側のＷＥＢブラウザによって、ネットワークを介して、広告物のスケジュールを作成できるように構成されたＷＥＢサーバを備えたので、広告物の放映スケジュールの管理を広告主自身によって行うことができる。
【図面の簡単な説明】
【０００９】
【図１】この発明の実施の形態１によるデジタルサイネージ配信システムを示す全体構成図である。
【図２】この発明の実施の形態１によるデジタルサイネージ配信システムの制御フローを示すフローチャートである。
【図３】この発明の実施の形態１によるデジタルサイネージ配信システムの広告主情報を示す図である。
【図４】この発明の実施の形態２によるデジタルサイネージ配信システムの制御フローを示すフローチャートである。
【図５】この発明の実施の形態２によるデジタルサイネージ配信システムのデジタルサイネージ運用者が作成するスケジュール例を示す図である。
【図６】この発明の実施の形態２によるデジタルサイネージ配信システムの広告主が作成するスケジュール例を示す図である。
【図７】この発明の実施の形態３によるデジタルサイネージ配信システムの制御フローを示すフローチャートである。
【発明を実施するための形態】
【００１０】
実施の形態１．
図１は、この発明の実施の形態１によるデジタルサイネージ配信システムを示す全体構成図である。
図１において、デジタルサイネージ配信システムは、デジタルサイネージ配信サービスを提供する運用者システム１と複数の広告主システム７とが、ネットワーク９を介して接続されている。
運用者システム１は、次のように構成されている。
配信サーバ２は、編集されたスケジュールや広告物を、様々な場所に設置されている表示制御装置５へネットワーク９を介して配信する機能をもつ。ＷＥＢサーバ３は、配信サーバ２と連動して、広告主システム７による広告物の登録・編集・削除を可能とするＷＥＢサービスを提供する。
操作端末４は、広告物の放映スケジュールの編集や表示制御装置５の監視を行う。表示制御装置５は、配信サーバ２から配信されたスケジュール通りに広告物を表示制御する。表示装置６は、表示制御装置５により制御された映像を表示するディスプレイである。
広告主システム７は、ＷＥＢブラウザ８により、運用者システム１が持つＷＥＢサーバ３にアクセスすることで、広告主自身で、配信サーバ２に広告物の登録・編集・削除を可能とするサービスを受ける。
【００１１】
図３は、この発明の実施の形態１によるデジタルサイネージ配信システムの広告主情報を示す図である。
図３において、広告主情報は、広告主名、ログインＩＤ、パスワード、権限、メールアドレス、連絡先、広告物情報を含むものである。
【００１２】
次に、動作について説明する。
図２を用いて、デジタルサイネージ配信システムの制御フローについて説明する。
まず、デジタルサイネージ運用者は、広告主と契約後、図３に示す広告主情報を配信サ
ーバ２およびＷＥＢサーバ３に登録する（Ｓ２０１）。この登録を行うことにより、広告主は、広告主システム７のＷＥＢブラウザ８からＷＥＢサーバ３にアクセスして、広告物の登録・編集・削除を可能とする権限を得ることができる。
広告主システム７は、デジタルサイネージ運用者から与えられた情報（ログインＩＤ、パスワード）を元に、ＷＥＢサーバ３へアクセスし、広告物の登録・編集・削除を行う（Ｓ２０２）。
広告主による登録処理完了後、運用者システム１は、自動的にデジタルサイネージ運用者に対し、広告物放映承認要求メールを送信する（Ｓ２０３）。
【００１３】
デジタルサイネージ運用者は、広告物放映承認要求メールを受信後、ＷＥＢサーバ３に管理者の権限でアクセスし、広告主が登録した広告物の承認処理を実施する（Ｓ２０４）。
承認処理完了後、運用者システム１は、自動的に広告主に対し、広告物放映承認結果メールを送信する（Ｓ２０５）。
承認処理の結果により（Ｓ２０６）、承認された場合は、登録された広告物をスケジュールに編集し（Ｓ２０７）、広告物の放映が行われる（Ｓ２０８）。
承認されなかった場合は、広告主は、再度、広告物の登録・編集・削除の処理（Ｓ２０２）へ戻る。
【００１４】
実施の形態１によれば、広告主による広告物管理や放映スケジュールの管理を行うＷＥＢサービス（ＷＥＢサーバによるサービス）を広告主に提供することにより、デジタルサイネージ運用者は、デジタルサイネージ配信システムへ広告物の登録・編集・削除といった管理を行わなくてよくなり、各広告主に対して広告物主の契約情報（放映期間、放映日、放映時間）を管理するだけでよくなるため、運用費用を削減し、スムーズな運用を可能にすることができる。
また、広告主は、いつでもＷＥＢサーバにアクセスし、広告物の管理を行うことができるので、広告物の差し替えが発生した場合、ＷＥＢサービスによって自ら差し替えができるため、タイムセール等のリアルタイムに更新が必要な広告物の差し替え処理を、スピーディに対応することが可能となる。
【００１５】
また、提供されているＷＥＢサービスは、一般に普及されている通信方式を利用しているため、広告主は、業務等で使用している汎用ＰＣ、スマートフォン等を利用することができ、新たに広告を入稿する装置を購入する必要がない。
さらに、広告物の承認処理制御により、広告物が適正かどうかチェックを行い、不適切な放映を未然に回避することができる。
【００１６】
実施の形態２．
図５は、この発明の実施の形態２によるデジタルサイネージ配信システムのデジタルサイネージ運用者が作成するスケジュール例を示す図である。
図５において、デジタルサイネージ運用者は、放映時刻、放映時間、広告物名称／広告主からなるスケジュールを作成する。
【００１７】
図６は、この発明の実施の形態２によるデジタルサイネージ配信システムの広告主が作成するスケジュール例を示すである。
図６において、広告主は、自身が割り当てられている放映時刻範囲を基にして、放映時刻、放映時間、広告物名称からなる放映スケジュールを作成する。
【００１８】
次に、図４を用いて、実施の形態１に加えて、広告物の放映スケジュールまで広告主が管理できる機能を追加したデジタルサイネージ配信システムの制御フローについて説明する。
図４で、Ｓ２００〜Ｓ２０６、Ｓ２０８の広告物の登録・編集・削除などの広告物の管理の制御フローは、図２におけるものと同じであり、その説明を省略する。
デジタルサイネージ運用者は、スケジュール編集を行う際に、広告主が登録した広告物をスケジュールに割り当てるのではなく、図５に示すような広告主の放映時間帯だけをスケジュールに割り当てる処理を行い、配信サーバ２に登録する（Ｓ４０１）。図５に示す放映時刻や放映時間は、デジタルサイネージ運用者と広告主の契約情報によって定められる。
【００１９】
各広告主は、デジタルサイネージ運用者から与えられた放映時間帯のみの放映スケジュールを作成して、図６に示すようなスケジュールをＷＥＢサーバ３に登録する（Ｓ４０２）。
各表示装置６へスケジュールと広告物を配信する前に、配信サーバ２が自動的に、運用者システム１が作成したスケジュールと、各広告主システム７が作成したスケジュールをマージして広告物を配信し（Ｓ４０３）、各表示装置６は、そのスケジュールにしたがって広告物を放映する（Ｓ２０８）。
【００２０】
実施の形態２によれば、広告主は、広告物の管理だけではなく、広告物の放映スケジュールまで管理できるため、デジタルサイネージ運用者は、運用費を削減することができる。
また、広告主は、広告主自身で広告物の放映スケジュールを管理できるため、契約で定められた時間内は自由に広告物のスケジュールを設定することが可能となり、広告物の組み合わせ等により効果的なアピールが可能となる。
また、緊急の広告物の差し替えやスケジュール変更時に、デジタルサイネージ運用者と連絡を取る必要がなく、広告主自身で変更が可能となるため、スピーディな対応が可能となる。
【００２１】
実施の形態３．
実施の形態３は、運用者システム１による広告物の放映ログを広告主へ提供するサービスについてのものである。
次に、図７を用いて、運用者システム１による広告物の放映ログを広告主へ提供する機能の制御フローについて説明する。
運用者システム１は、放映終了後（Ｓ７００）、表示装置６によって放映された広告物の放映ログを自動的にＷＥＢサーバ３に登録し（Ｓ７０１）、広告主に放映ログを提供するサービスを提供する。
【００２２】
広告主システム７は、必要に応じて、運用者システム１のＷＥＢサーバ３にアクセスして放映ログを取得する。
運用者システム１は、一定期間の放映ログを保存しておき、期間が過ぎると放映ログを削除する（Ｓ７０３）。
【００２３】
実施の形態３によれば、デジタルサイネージ運用者は、広告主に対して、放映結果を集計し、証明書等を作成する必要がなくなり、運用費の削減が見込める。
また、広告主は、いつでも放映ログを確認することが可能となる。
【００２４】
なお、本発明は、その発明の範囲内において、各実施の形態を自由に組み合わせたり、各実施の形態を適宜、変形、省略することが可能である。
【符号の説明】
【００２５】
１ 運用者システム、２  配信サーバ、３  ＷＥＢサーバ、４  操作端末、５  表示制御装置、６  表示装置、７  広告主システム、８  ＷＥＢブラウザ、９  ネットワーク。
【図１】
2015095004.tif 000003
【図２】
2015095004.tif 000004
【図３】
2015095004.tif 000005
【図４】
2015095004.tif 000006
【図５】
2015095004.tif 000007
【図６】
2015095004.tif 000008
【図７】
2015095004.tif 000009